(57)【要約】      （修正有）【課題】葬儀依頼主（遺族）からの様々な要望（葬儀用祭壇の大きさや形状・遺品の配置）に応えることができる葬儀用祭壇を提供する。【解決手段】葬儀用祭壇１は、棺を載置する棺載置部４と、装飾品を載置するための棚板と、平面視が矩形の複数個の水平フレームを、水平フレームの矩形の４つの角部に接続された垂直脚３０〜３６によって、所定の間隔で多段に配置して構成した単体パーツ１０ａ〜１０ｄと、単体パーツの相互を連結する複数本の連結継手４０ａ〜４０ｈと、を備えている。単体パーツと連結継手とは、相互に連結して組み合わされて単体パーツの組み立て体２を構成する。棺載置部は、長尺の棺台土台と、長尺の棺台移動台と、収納時棺台とを備えている。棺台移動台は、棺台土台の上に載置され、棺を載置した状態で、棺台土台の上をガイドレールに沿って、車輪が転がり移動することによって、Ｘ（奥行）方向に直線移動可能である。【選択図】図１
0003235120.tif 000002
【実用新案登録請求の範囲】
【請求項１】
棺を載置する棺載置部と、
装飾品を載置するための棚板と、
平面視が矩形の複数個の水平フレームを、前記水平フレームの前記矩形の４つの角部に接続された第１の垂直脚および第２の垂直脚および第３の垂直脚および第４の垂直脚によって、所定の間隔で多段に配置して構成した単体パーツと、
前記単体パーツの相互を連結する複数本の連結継手と、を備え、
前記複数本の連結継手を用いて、前記単体パーツを組み合わせ、所定の葬儀式場のサイズに対応して前記単体パーツの組み立て体を構成したこと、を特徴とする、葬儀用祭壇。
【請求項２】
前記棚板は、前記水平フレームもしくは前記連結継手に係止することによって、略水平に取り付けられること、を特徴とする、請求項１に記載の葬儀用祭壇。
【請求項３】
前記棺載置部は、
平面視が矩形の長尺の棺台土台と、
前記棺台土台の上に載置され、前記棺を載置した状態で前記棺台土台の上を直線移動可能である、平面視が矩形の長尺の棺台移動台と、
をさらに備えたこと、を特徴とする、請求項１または請求項２に記載の葬儀用祭壇。
【請求項４】
前記棺台土台の上面に直線状のガイドレールを設けると共に、前記棺台移動台の下面に車輪を設け、前記棺台土台の前記ガイドレールに沿って、前記棺台移動台の前記車輪が転がり移動することによって、前記棺台移動台が、前記棺を載置した状態で前記棺台土台の上を直線移動可能であること、を特徴とする、請求項３に記載の葬儀用祭壇。
【請求項５】
前記棺台土台から所定の距離の位置に収納時棺台を配置し、前記棺台移動台を、前記棺台土台と前記収納時棺台との間に跨って配置してから、前記棺を前記棺台移動台に載置し、前記棺台移動台の前記収納時棺台側を若干持ち上げて、前記棺を載置した状態の棺台移動台を前記棺台土台の上に収納するように構成したこと、を特徴とする、請求項３または請求項４に記載の葬儀用祭壇。
【請求項６】
前記単体パーツの組み立て体が、平面視がＬ字型であること、を特徴とする、請求項１ないし請求項５のいずれかに記載の葬儀用祭壇。
【考案の詳細な説明】
【技術分野】
【０００１】
本考案は、葬儀用祭壇に関する。
【背景技術】
【０００２】
従来、葬儀用祭壇は、多数の供花を用いた花祭壇が多く利用されている。さらに、葬儀用祭壇は、特許文献１に示すように、参列者に対して略正面に向いているものが一般的である。
【先行技術文献】
【特許文献】
【０００３】
【特許文献１】特開２０１７−１０４２３５号公報
【考案の概要】
【考案が解決しようとする課題】
【０００４】
従来の葬儀用祭壇は、参列者に対して正面方向もしくはやや斜め方向に向いている状態でしか設置されていなかった。従って、遺影写真や供花やお供え物も、ほぼ正面方向に向いている状態でしか設置できなかった。特に、遺影写真は、葬儀用祭壇の中央付近にしか置くことができなかった。
【０００５】
さらに、故人の歩んできた人生を振り返るような写真を、葬儀用祭壇に飾る設置場所もなかった。つまり、従来の限られたスペースしか確保できない葬儀用祭壇では、遺影写真が１枚だけしか設置できず、その他の思い出の品々等は、別スペースに配置され飾られるため、故人の人生を十分に回想することができなかった。
【０００６】
また、昨今では、少人数の葬儀を執り行うことが多く、遺族の様々な要望に応える必要がある。しかしながら、従来の葬儀用祭壇は、通常、一体的に組み付けられて構成されているものが多く、葬儀式場などに設置する場合に、アレンジの自由度に制限があり、遺族の要望に応えられないことがあった。
【０００７】
それゆえに、本考案の主たる目的は、葬儀依頼主（遺族）からの様々な要望（葬儀用祭壇の大きさや形状・遺品の配置）に応えることができる葬儀用祭壇を提供することである。
【課題を解決するための手段】
【０００８】
本考案に係る葬儀用祭壇は、
棺を載置する棺載置部と、
装飾品を載置するための棚板と、
平面視が矩形の複数個の水平フレームを、水平フレームの矩形の４つの角部に接続された第１の垂直脚および第２の垂直脚および第３の垂直脚および第４の垂直脚によって、所定の間隔で多段に配置して構成した単体パーツと、
単体パーツの相互を連結する複数本の連結継手と、を備え、
複数本の連結継手を用いて、単体パーツを組み合わせ、所定の葬儀式場のサイズに対応して単体パーツの組み立て体を構成したこと、を特徴とする、葬儀用祭壇である。
【０００９】
また、本考案に係る葬儀用祭壇は、棚板が、水平フレームもしくは連結継手に係止することによって、略水平に取り付けられている。
【００１０】
また、本考案に係る葬儀用祭壇は、棺載置部が、
平面視が矩形の長尺の棺台土台と、
棺台土台の上に載置され、棺を載置した状態で棺台土台の上を直線移動可能である、平面視が矩形の長尺の棺台移動台と、
をさらに備えている。
【００１１】
また、本考案に係る葬儀用祭壇は、棺台土台の上面に直線状のガイドレールを設けると共に、棺台移動台の下面に車輪を設け、棺台土台のガイドレールに沿って、棺台移動台の車輪が転がり移動することによって、棺台移動台が、棺を載置した状態で棺台土台の上を直線移動可能であることが好ましい。
【００１２】
また、本考案に係る葬儀用祭壇は、棺台土台から所定の距離の位置に収納時棺台を配置し、棺台移動台を、棺台土台と収納時棺台との間に跨って配置してから、棺を棺台移動台に載置し、棺台移動台の収納時棺台側を若干持ち上げて、棺を載置した状態の棺台移動台を棺台土台の上に収納するように構成していることが好ましい。
【００１３】
また、本考案に係る葬儀用祭壇は、単体パーツの組み立て体が、平面視がＬ字型であることを特徴とする。
【考案の効果】
【００１４】
本考案によれば、葬儀依頼主（遺族）からの様々な要望（葬儀用祭壇の大きさや形状・遺品の配置）に応えることができる葬儀用祭壇を提供することができる。
【００１５】
本考案の上述の目的、その他の目的、特徴および利点は、図面を参照して行う以下の考案を実施するための形態の説明から一層明らかとなろう。
【図面の簡単な説明】
【００１６】
【図１】本考案に係る葬儀用祭壇の第１の実施の形態（基本型）に使用される単体パーツの組み立て体の外観斜視図である。
【図２】単体パーツの外観斜視図である。
【図３】単体パーツと連結継手との連結部の拡大分解図である。
【図４】単体パーツと連結継手との連結部の拡大図であり、（Ａ）は単体パーツと連結接手とを連結した状態を示し、（Ｂ）は連結接手の連結後の状態を示す拡大図である。
【図５】棚板の図面であり、（Ａ）は単体パーツに棚板を設置する前の状態を示し、（Ｂ）は単体パーツに棚板を設置した後の状態を示し、（Ｃ）は、（Ｂ）の線Ｖｃ−Ｖｃ断面図である。
【図６】棺載置部を示す構成図である。
【図７】棺台土台の外観斜視図である。
【図８】棺台移動台の外観斜視図である。
【図９】収納時棺台の外観斜視図である。
【図１０】本考案に係る葬儀用祭壇の第２の実施の形態（狭奥行型）に使用される単体パーツの組み立て体の外観斜視図である。
【図１１】本考案に係る葬儀用祭壇の第３の実施の形態（Ｌ字型）に使用される単体パーツの組み立て体の外観斜視図である。
【図１２】本考案に係る葬儀用祭壇の第４の実施の形態（幅広型）に使用される単体パーツの組み立て体の外観斜視図である。
【図１３】本考案に係る葬儀用祭壇の第５の実施の形態（雛段型）に使用される単体パーツの組み立て体の外観斜視図である。
【考案を実施するための形態】
【００１７】
１．第１の実施の形態
本考案の第１の実施の形態（基本型）に係る葬儀用祭壇について説明する。
【００１８】
図１は、本考案に係る葬儀用祭壇の第１の実施の形態（基本型）に使用される単体パーツの組み立て体の外観斜視図である。図２は、単体パーツの外観斜視図である。図５は、棚板の図面であり、（Ａ）は単体パーツに棚板を設置する前の状態を示し、（Ｂ）は単体パーツに棚板を設置した後の状態を示し、（Ｃ）は、（Ｂ）の線Ｖｃ−Ｖｃ断面図である。図６は、棺載置部を示す構成図である。
【００１９】
なお、それぞれの図面において、葬儀用祭壇の奥行方向をＸ方向と定義し、幅方向をＹ方向と定義し、高さ方向をＺ方向と定義する。
【００２０】
葬儀用祭壇１は、棺Ｈを載置する棺載置部４と、単体パーツ１０と、単体パーツ１０の相互を連結する複数本の連結継手４０と、装飾品を載置するための棚板４４と、を備えている。単体パーツ１０と連結継手４０とは、相互に連結して組み合わされて単体パーツの組み立て体２を構成する。
【００２１】
図１に示すように、単体パーツの組み立て体２は、４個の単体パーツ１０ａおよび１０ｂおよび１０ｃおよび１０ｄ（以下、単体パーツを総称して１０とも記す）と、単体パーツ１０の相互を連結する３２本の連結継手４０ａおよび４０ｂおよび４０ｃおよび４０ｄおよび４０ｅおよび４０ｆおよび４０ｇおよび４０ｈ（以下、連結継手を総称して４０とも記す）と、を備えている。
【００２２】
単体パーツの組み立て体２のサイズ（代表値）は、例えば、Ｚ（高さ）方向が２３９０ｍｍであり、Ｙ（幅）方向が２０９０ｍｍであり、Ｘ（奥行）方向が２０９０ｍｍである。
【００２３】
４個の単体パーツ１０ａおよび１０ｂおよび１０ｃおよび１０ｄは、単体パーツの組み立て体２の４つの角部に配置されている。平面視で、４個の単体パーツ１０ａおよび１０ｂおよび１０ｃおよび１０ｄは、８本の連結継手４０ａおよび４０ｂおよび４０ｃおよび４０ｄおよび４０ｅおよび４０ｆおよび４０ｇおよび４０ｈによって連結され、Ｘ方向に３個の升およびＹ方向に３個の升を配置して９個の正方格子升を形成している。
【００２４】
さらに、正面視で、２個の単体パーツ１０ａおよび１０ｂは、４本の連結継手４０ａによって連結され、Ｙ方向に３個の升およびＺ方向に３個の升（後述の嵩上げ部３７を除く）を配置して９個の正方格子升を形成している。
【００２５】
さらに、右側面視で、２個の単体パーツ１０ｂおよび１０ｄは、４本の連結継手４０ｆによって連結され、Ｘ方向に３個の升およびＺ方向に３個の升（後述の嵩上げ部３７を除く）を配置して９個の正方格子升を形成している。
【００２６】
図２に示すように、単体パーツ１０は、平面視が矩形の第１の水平フレーム（上フレーム）１２および第２の水平フレーム１４および第３の水平フレーム１６および第４の水平フレーム（底フレーム）１８と、第１の垂直脚３０および第２の垂直脚３２および第３の垂直脚３４および第４の垂直脚３６とを有している。
【００２７】
水平フレーム１２および１４および１６および１８は、それぞれ、Ｘ（奥行）方向において、手前側に第１の梁部２０ａを有すると共に、奥側に第２の梁部２０ｂを有し、Ｙ（幅）方向において、左側に第３の梁部２０ｃを有すると共に、右側に第４の梁部２０ｄを有している。
【００２８】
水平フレーム１２および１４および１６および１８は、それぞれの矩形の４つの角部に接続された４本の垂直脚３０および３２および３４および３６によって、所定の間隔でＺ（高さ）方向に４段に等間隔で配置されている。
【００２９】
すなわち、水平フレーム１２および１４および１６および１８のそれぞれの第１の梁部２０ａは、第１の垂直脚３０および第２の垂直脚３２によって両持ち支持されている。水平フレーム１２および１４および１６および１８のそれぞれの第２の梁部２０ｂは、第３の垂直脚３４および第４の垂直脚３６によって両持ち支持されている。水平フレーム１２および１４および１６および１８のそれぞれの第３の梁部２０ｃは、第１の垂直脚３０および第３の垂直脚３４によって両持ち支持されている。水平フレーム１２および１４および１６および１８のそれぞれの第４の梁部２０ｄは、第２の垂直脚３２および第４の垂直脚３６によって両持ち支持されている。
【００３０】
垂直脚３０および３２および３４および３６のそれぞれの下端部は、第４の水平フレーム（底フレーム）１８と設置床との間に適度の隙間を確保するための嵩上げ部３７が形成されている。
【００３１】
単体パーツ１０の代表サイズは、例えば、Ｚ（高さ）方向が２３９０ｍｍであり、Ｙ（幅）方向が７２０ｍｍであり、Ｘ（奥行）方向が７２０ｍｍである。従って、殆どの部屋の出入口から搬入および搬出が可能である。
【００３２】
単体パーツ１０の水平フレーム１２および１４および１６および１８や垂直脚３０および３２および３４および３６は、横断面が矩形の角材、または、横断面がＬ字型やコ字型の筋材などから成る。その素材としては、木材を用いることが好ましい。
【００３３】
次に、単体パーツ１０と連結継手４０との連結構造について、図３および図４を参照して詳説する。
図３は、単体パーツ１０と連結継手４０との連結部の一例（図１（Ａ）の円Ｒの部分）の拡大分解図である。図４は、単体パーツと連結継手との連結部の拡大図であり、（Ａ）は単体パーツと連結接手とを連結した状態を示し、（Ｂ）は連結接手の連結後の状態を示す拡大図である。
【００３４】
単体パーツ１０の連結部の表面には、第１の連結部材５０ａが取り付けられ、連結継手４０の連結部の表面には、第２の連結部材５０ｂが取り付けられている。
【００３５】
第１の連結部材５０ａは、略長円形であり、両端部には一対の略半円形の座部５１ａおよび座部５２ａが形成されている。座部５１ａと座部５２ａとの間には、折り曲げ加工されて外側に張り出された一対のブリッジ傾斜部５４ａおよびブリッジ傾斜部５５ａが形成されている。ブリッジ傾斜部５４ａとブリッジ傾斜部５５ａとの間（中央部）には、舌形状のブリッジ平坦部５６ａがブリッジ傾斜部５４ａおよび５５ａに対して直角に下方に延びている。以上の構成により、第１の連結部材５０ａのブリッジ平坦部５６ａと単体パーツ１０の連結部の表面との間に開口部Ｓ１が形成される。
【００３６】
第２の連結部材５０ｂも、前記第１の連結部材５０ａと同様の形状を有しており、両端部には一対の略半円形の座部５１ｂおよび座部５２ｂが形成されている。座部５１ｂと座部５２ｂとの間には、折り曲げ加工されて外側に張り出された一対のブリッジ傾斜部５４ｂおよびブリッジ傾斜部５５ｂが形成されている。ブリッジ傾斜部５４ｂとブリッジ傾斜部５５ｂとの間（中央部）には、舌形状のブリッジ平坦部５６ｂがブリッジ傾斜部５４ｂおよび５５ｂに対して直角に下方に延びている。以上の構成により、第２の連結部材５０ｂのブリッジ平坦部５６ｂと連結継手４０の連結部の表面との間に開口部Ｓ２が形成される。
【００３７】
第１の連結部材５０ａは、座部５１ａおよび５２ａが、単体パーツ１０の連結部の表面にカシメられて、（Ｘ方向に）横長に、かつ、ブリッジ平坦部５６ａがＺ（高さ）方向において下方に延びるように取り付けられている。
【００３８】
第２の連結部材５０ｂは、座部５１ｂおよび５２ｂが、連結継手４０の連結部の中央部の表面にカシメられて、（Ｘ方向に）横長に、かつ、ブリッジ平坦部５６ｂがＺ（高さ）方向において下方に延びるように取り付けられている。
【００３９】
連結継手４０の連結部の表面の左右両縁部には、Ｚ方向に延びる位置決めガイド４２ａおよび４２ｂが形成されていて、第１の連結部材５０ａと第２の連結部材５０ｂは、これらの位置決めガイド４２ａおよび４２ｂを利用して位置決めされる。位置決めガイド４２ａおよび４２ｂの高さ寸法は、第１の連結部材５０ａの厚みと第２の連結部材５０ｂの厚みとを合計した寸法である。
【００４０】
さらに、第１の連結部材５０ａは、Ｚ（高さ）方向において、第２の連結部材５０ｂの位置から相対的に下方に位置するように設計されている。具体的には、単体パーツ１０が連結継手４０によって連結されたとき、第１の連結部材５０ａのブリッジ傾斜部５４ａおよび５５ａの上端面５７の位置が、第２の連結部材５０ｂのブリッジ傾斜部５４ｂおよび５５ｂの下端面５８の位置と同一になるように設計されている。
【００４１】
そして、単体パーツ１０が連結継手４０によって連結されるときには、単体パーツ１０の連結部の表面に取り付けた第１の連結部材５０ａと、連結継手４０の連結部の表面に取り付けた第２の連結部材５０ｂとを向い合せにして、先ず、連結継手４０が、Ｚ（高さ）方向において、単体パーツ１０より高くなるようにセットする。
【００４２】
次に、連結継手４０を下降させて、単体パーツ１０の連結部の表面と連結継手４０の連結部の表面とを接触させた後、連結継手４０の位置決めガイド４２ａおよび４２ｂとの間に単体パーツ１０の第１の連結部材５０ａが嵌まるように、連結継手４０を位置決めする。
【００４３】
引き続き、連結継手４０を下降させると、第２の連結部材５０ｂのブリッジ平坦部５６ｂが、第１の連結部材５０ａのブリッジ平坦部５６ａと単体パーツ１０の連結部の表面との間に形成されている開口部Ｓ１に差し込まれる。
【００４４】
さらに、連結継手４０を下降させると、第２の連結部材５０ｂのブリッジ傾斜部５４ｂおよび５５ｂの下端面５８が、第１の連結部材５０ａのブリッジ傾斜部５４ａおよび５５ａの上端面５７に当たって、連結継手４０の下降が停止する。この結果、単体パーツ１０と連結継手４０とが連結される。
【００４５】
なお、単体パーツ１０と連結継手４０との連結手段としては、鬼目ナットおよびハンガーボルトによる連結であってもよい。
【００４６】
次に、棚板４４が、単体パーツ１０の水平フレーム１２および１４および１６および１８もしくは連結継手４０に係止する構造について、図５を参照して説明する。なお、図５では、棚板４４を水平フレーム１４に係止する場合を一例にして説明する。図５は、棚板の図面であり、（Ａ）は単体パーツに棚板を設置する前の状態を示し、（Ｂ）は単体パーツに棚板を設置した後の状態を示し、（Ｃ）は、（Ｂ）の線Ｖｃ−Ｖｃ断面図である。
【００４７】
葬儀用祭壇１は、棚板４４を、単体パーツ１０の水平フレーム１２および１４および１６および１８もしくは連結継手４０に係止することによって、略水平に取り付けている。
【００４８】
棚板４４は、平面視で、矩形の水平フレーム１４のサイズと等しいか、または、若干小さいサイズを有する矩形である。棚板４４の下面には、対向する２つの辺の縁部４５ａおよび４５ｂに沿って、棚板位置決めガイド４６ａおよび４６ｂが、第１の梁部２０ａおよび第２の梁部２０ｂとオーバーラップしないようにＸ方向に延びるように設けられている。
【００４９】
棚板４４は、棚板位置決めガイド４６ａおよび４６ｂを利用して、縁部４５ａおよび４５ｂの下面が、水平フレーム１４の第１の梁部２０ａおよび第２の梁部２０ｂの上面に接するように載置され係止される。棚板４４は、遺影写真や遺品の装飾の土台や供花の装飾の土台として活用でき、棚板４４の上面には、遺影写真や供花やお供え物などが載置される。
【００５０】
次に、葬儀用祭壇１の棺載置部４について、図６〜図９を参照して説明する。図６は、棺載置部を示す構成図である。図７は、棺台土台の外観斜視図である。図８は、棺台移動台の外観斜視図である。図９は、収納時棺台の外観斜視図である。
【００５１】
棺載置部４は、長尺の棺台土台６０と、長尺の棺台移動台７０と、収納時棺台８０とを備えている。棺載置部４は、通常、葬儀用祭壇１の低い位置、すなわち、下から１段目の単体パーツ１０の水平フレーム（底フレーム）１８もしくは連結継手４０の上に載置される。第１の実施の形態では、図１および図６に示すように、棺載置部４は、下から１段目の連結継手４０ａおよび４０ｂおよび４０ｇおよび４０ｈの上に載置されている。
【００５２】
なお、図示しないけれども、棺台土台６０および棺台移動台７０および収納時棺台８０に加えて、単体パーツ１０および連結継手４０を一括して運ぶ車輪付き運搬台を別に作製することによって、各部品の運搬移動が容易になる。
【００５３】
棺台土台６０は、図７に示すように、平面視が矩形の長尺平板形状を有している。棺台土台６０のサイズ（代表値）は、Ｘ（奥行）方向が２０９０ｍｍであり、Ｙ（幅）方向が６４０ｍｍである。棺台土台６０の上面には、所定の間隔を有して、Ｘ（奥行）方向に延びる一対の直線状のガイドレール６２ａおよび６２ｂが平行して設けられている。さらに、棺台土台６０の上面の両端部には、Ｙ（幅）方向に延びるストッパ６４ａおよび６４ｂが設けられている。
【００５４】
棺台土台６０の下面には、棺台土台位置決めガイド６６ａおよび６６ｂおよび６６ｃおよび６６ｄが、連結継手４０ａおよび４０ｂおよび４０ｇおよび４０ｈのピッチに略等しい距離で設けられている。棺台土台６０は、棺台土台位置決めガイド６６ａおよび６６ｂおよび６６ｃおよび６６ｄを利用して、棺台土台６０の下面が、下から１段目の連結継手４０ａおよび４０ｂおよび４０ｇおよび４０ｈの上面に接するように載置され係止される。
【００５５】
棺台移動台７０は、図８に示すように、平面視が矩形の長尺平板形状を有している。棺台移動台７０のサイズ（代表値）は、Ｘ（奥行）方向が２０９０ｍｍであり、Ｙ（幅）方向が６００ｍｍである。
【００５６】
棺台移動台７０の下面の両端部には、それぞれ、一対の車輪７２ａおよび７２ｂと一対の車輪７４ａおよび７４ｂとが設けられている。一対の車輪７２ａと７２ｂとの間の距離、および、一対の車輪７４ａと７４ｂとの間の距離は、一対の車輪７２ａおよび７２ｂと一対の車輪７４ａおよび７４ｂとが、一対のガイドレール６２ａおよび６２ｂの外側に配置され、ガイドレール６２ａおよび６２ｂの外側側面に規制されるように、棺台土台６０の一対のガイドレール６２ａと６２ｂとの間の距離より大きく設計されている。
【００５７】
従って、棺台移動台７０は、棺台土台６０の上に載置され、棺Ｈを載置した状態で、棺台土台６０の上をガイドレール６２ａおよび６２ｂに沿って、一対の車輪７２ａおよび７２ｂと一対の車輪７４ａおよび７４ｂとが転がり移動することによって、Ｘ（奥行）方向に直線移動可能である。
【００５８】
収納時棺台８０は、図９に示すように、平面視が矩形の天板８２と、天板８２の下面の両端部にそれぞれ接続された脚部８４ａおよび８４ｂとを有している。収納時棺台８０のサイズ（代表値）は、Ｘ（奥行）方向が４００ｍｍであり、Ｙ（幅）方向が６５０ｍｍであり、Ｚ（高さ）方向が５０７ｍｍである。収納時棺台８０の上面の両縁部には、Ｙ（幅）方向に延びるガイドストッパ８６ａおよび８６ｂが設けられている。ガイドストッパ８６ａおよび８６ｂは、棺台移動台７０の一対の車輪７４ａおよび７４ｂが、収納時棺台８０の天板８２の上面から落下することを防止する。
【００５９】
次に、以上の構成からなる葬儀用祭壇１の棺載置部４に棺Ｈが収納される手順を、図６を参照して説明する。
【００６０】
棺台土台６０は、下から１段目の連結継手４０ａおよび４０ｂおよび４０ｇおよび４０ｈの上面に載置され係止されている。先ず、棺台土台６０の奥側の端部からＸ（奥行）方向に約１８００ｍｍ離れた位置に、収納時棺台８０がＹ（幅）方向に横長になるように平行に配置される。
【００６１】
次に、棺台移動台７０が、棺台土台６０と収納時棺台８０との間に跨るように、Ｘ（奥行）方向に長く配置される。棺台移動台７０の一対の車輪７２ａおよび７２ｂは、棺台土台６０の上面に接し、一対の車輪７４ａおよび７４ｂは、収納時棺台８０の天板８２の上面に接する。その後、棺Ｈが棺台移動台７０の上面に載置される。
【００６２】
次に、棺台移動台７０の収納時棺台８０の側が、収納時棺台８０の上面から適度に持ち上げられた後、棺台移動台７０は、ガイドストッパ８６ａを超えてＸ（奥行）方向に平行に棺台土台６０の側に押される。棺台移動台７０は、棺台土台６０の上をガイドレール６２ａおよび６２ｂに沿って、Ｘ（奥行）方向に正面側に向かって直線移動する。棺台移動台７０の一対の車輪７２ａおよび７２ｂが、棺台土台６０のストッパ６４ａに接触したとき、棺Ｈを載置した状態の棺台移動台７０が棺台土台６０の上に収納完了する。その後、収納時棺台８０が取り除かれる。
【００６３】
上述のようにして、棺Ｈが葬儀用祭壇１に収納される。出棺時には、前述の手順と逆の手順で、棺Ｈが葬儀用祭壇１から取り出される。
【００６４】
葬儀用祭壇１は、２７個の升があるため、２７個の供え物や供花などの設置場所があり、３６０度の角度から祭壇や遺影写真や遺品などを見て、故人を偲ぶことができる。この葬儀用祭壇１は、棺Ｈの収納や遺影写真や遺品の装飾の土台や供花の装飾の土台として活用でき、装飾の時点から遺族も関わって遺影写真や遺品を設置して、より思い出に残る葬儀を創り上げていくことができる。そして、縁のある参列者が、複数の写真や生前使用していた遺品を見て、思い出話を募らせる空間を提供できる。
【００６５】
また、近年、参列者が減少傾向にあるけれども、葬儀用祭壇１は、幼少期から現在までの写真や種々の物品の装飾を行う（遺族も含む）ことで、故人への回想をより一層際立て、少人数であっても充実した葬儀として成立させることができる。一方、通常の人数であっても、これに等しい効果が得られる。
【００６６】
また、本考案に係る葬儀用祭壇１は、分割式になっており、葬儀式場のサイズ（奥行きや横幅等）に対応して、多様な組み合わせによるアレンジができる。特に、分割式という特性を生かし、自宅や狭い葬儀式場や屋外の葬儀や船舶での海洋葬など従来の輿前祭壇や花祭壇と異なり、種々のシュチエーションでも、葬儀用祭壇を搬入することができる。
【００６７】
２．第２の実施の形態
本考案の第２の実施の形態に係る葬儀用祭壇について説明する。
【００６８】
図１０は、本考案に係る葬儀用祭壇の第２の実施の形態（狭奥行型）に使用される単体パーツの組み立て体の外観斜視図である。以下、図１０ないし図１３において、同一部品および同一部分には同じ符号を付し、その詳細な説明は省略する。
【００６９】
葬儀用祭壇１００は、棺Ｈを載置する棺載置部（図示せず）と、単体パーツ１０と、単体パーツ１０の相互を連結する複数本の連結継手４０と、装飾品を載置するための棚板（図示せず）と、を備えている。単体パーツ１０と連結継手４０とは、相互に連結して組み合わされて単体パーツの組み立て体１０２を構成する。
【００７０】
単体パーツの組み立て体１０２は、２個の単体パーツ１０と、単体パーツ１０の相互を連結する８本の連結継手４０と、を備えている。
【００７１】
単体パーツの組み立て体２のサイズ（代表値）は、例えば、Ｚ（高さ）方向が２３９０ｍｍであり、Ｙ（幅）方向が２０９０ｍｍであり、Ｘ（奥行）方向が７２０ｍｍである。
【００７２】
２個の単体パーツ１０は、単体パーツの組み立て体１０２の両端部に配置されている。平面視で、２個の単体パーツ１０は、２本の連結継手４０によって連結され、Ｙ方向に３個の正方格子升を形成している。
【００７３】
さらに、正面視で、２個の単体パーツ１０は、４本の連結継手４０によって連結され、Ｙ方向に３個の升およびＺ方向に３個の升（嵩上げ部３７を除く）を配置して９個の正方格子升を形成している。
【００７４】
さらに、右側面視で、単体パーツ１０は、Ｚ方向に３個の正方格子升（嵩上げ部３７を除く）を形成している。
【００７５】
葬儀用祭壇１００は、奥行が狭い葬儀式場に適した構成となっている。
【００７６】
３．第３の実施の形態
本考案の第３の実施の形態に係る葬儀用祭壇について説明する。
【００７７】
図１１は、本考案に係る葬儀用祭壇の第３の実施の形態（Ｌ字型）に使用される単体パーツの組み立て体の外観斜視図である。
【００７８】
葬儀用祭壇１１０は、棺Ｈを載置する棺載置部（図示せず）と、単体パーツ１０と、単体パーツ１０の相互を連結する複数本の連結継手４０と、装飾品を載置するための棚板（図示せず）と、を備えている。単体パーツ１０と連結継手４０とは、相互に連結して組み合わされて単体パーツの組み立て体１１２を構成する。
【００７９】
単体パーツの組み立て体１１２は、図１０に示した単体パーツの組み立て体１０２をＬ字型に連結して組み合わせたものと同様のものである。
【００８０】
葬儀用祭壇１１０は、異なった奥行感を出すことができる構成となっている。
【００８１】
４．第４の実施の形態
本考案の第４の実施の形態に係る葬儀用祭壇について説明する。
【００８２】
図１２は、本考案に係る葬儀用祭壇の第４の実施の形態（幅広型）に使用される単体パーツの組み立て体の外観斜視図である。
【００８３】
葬儀用祭壇１２０は、棺Ｈを載置する棺載置部（図示せず）と、単体パーツ１０と、単体パーツ１０の相互を連結する複数本の連結継手４０と、装飾品を載置するための棚板（図示せず）と、を備えている。単体パーツ１０と連結継手４０とは、相互に連結して組み合わされて単体パーツの組み立て体１２２を構成する。
【００８４】
単体パーツの組み立て体１２２は、図１０に示した単体パーツの組み立て体１０２を横並びにＩ字型に連結して組み合わせたものと同様のものである。
【００８５】
葬儀用祭壇１２０は、横幅が広い葬儀式場に適した構成となっている。
【００８６】
５．第５の実施の形態
本考案の第５の実施の形態に係る葬儀用祭壇について説明する。
【００８７】
図１３は、本考案に係る葬儀用祭壇の第５の実施の形態（雛段型）に使用される単体パーツの組み立て体の外観斜視図である。
【００８８】
葬儀用祭壇１３０は、棺Ｈを載置する棺載置部（図示せず）と、単体パーツ１０と、単体パーツ１０の相互を連結する複数本の連結継手４０と、装飾品を載置するための棚板（図示せず）と、を備えている。単体パーツ１０と連結継手４０とは、相互に連結して組み合わされて単体パーツの組み立て体１３２を構成する。
【００８９】
単体パーツの組み立て体１３２は、図１０に示した単体パーツの組み立て体１０２と、単体パーツの組み立て体１０２の段数が１段少ない単体パーツの組み立て体と、単体パーツの組み立て体１０２の段数が２段少ない単体パーツの組み立て体と、を階段状に連結して組み合わせたものと同様のものである。
【００９０】
葬儀用祭壇１３０は、豪華感を出すことができる構成となっている。
【００９１】
なお、本考案は、前記実施の形態に限定されるものではなく、その要旨の範囲内で種々に変形される。すなわち、本考案は、複数本の連結継手を用いて、単体パーツを組み合わせ、所定の葬儀式場のサイズに対応して単体パーツの組み立て体を構成する考案である。
【００９２】
従って、例えば、葬儀用祭壇は、図１に示す単体パーツの組み立て体１０を６つまたは３つ横並びにして、横幅を広くして豪華にしてもよい。また、図１３に示す単体パーツの組み立て体１３２を２つ横並びにして、横幅を広くした雛段型としてもよい。あるいは、図１３に示す単体パーツの組み立て体１３２の手前側の段を省略してもよい。
【符号の説明】
【００９３】
１  葬儀用祭壇
２  単体パーツの組み立て体
４  棺載置部
１０、１０ａ、１０ｂ、１０ｃ、１０ｄ  単体パーツ
１２  第１の水平フレーム（上フレーム）
１４  第２の水平フレーム
１６  第３の水平フレーム
１８  第４の水平フレーム（底フレーム）
２０ａ  第１の梁部
２０ｂ  第２の梁部
２０ｃ  第３の梁部
２０ｄ  第４の梁部
３０  第１の垂直脚
３２  第２の垂直脚
３４  第３の垂直脚
３６  第４の垂直脚
３７  嵩上げ部
４０、４０ａ、４０ｂ、４０ｃ、４０ｄ、４０ｅ、４０ｆ、４０ｇ、４０ｈ  連結継手
４２ａ、４２ｂ  位置決めガイド
４４  棚板
４５ａ、４５ｂ  縁部
４６ａ、４６ｂ  棚板位置決めガイド
５０ａ  第１の連結部材
５０ｂ  第２の連結部材
５１ａ、５１ｂ、５２ａ、５２ｂ  座部
５４ａ、５４ｂ、５５ａ、５５ｂ  ブリッジ傾斜部
５６ａ、５６ｂ  ブリッジ平坦部
５７  第１の連結部材のブリッジ傾斜部の上端面
５８  第２の連結部材のブリッジ傾斜部の下端面
６０  棺台土台
６２ａ、６２ｂ  ガイドレール
６４ａ、６４ｂ  ストッパ
６６ａ、６６ｂ、６６ｃ、６６ｄ  棺台土台位置決めガイド
７０  棺台移動台
７２ａ、７２ｂ、７４ａ、７４ｂ  車輪
８０  収納時棺台
８２  天板
８４ａ、８４ｂ  脚部
８６ａ、８６ｂ  ガイドストッパ
１００、１１０、１２０、１３０  葬儀用祭壇
１０２、１１２、１２２、１３２  単体パーツの組み立て体
Ｈ  棺
Ｓ１、Ｓ２  開口部
【図１】
0003235120.tif 000003
【図２】
0003235120.tif 000004
【図３】
0003235120.tif 000005
【図４】
0003235120.tif 000006
【図５】
0003235120.tif 000007
【図６】
0003235120.tif 000008
【図７】
0003235120.tif 000009
【図８】
0003235120.tif 000010
【図９】
0003235120.tif 000011
【図１０】
0003235120.tif 000012
【図１１】
0003235120.tif 000013
【図１２】
0003235120.tif 000014
【図１３】
0003235120.tif 000015